(57)【要約】  【課題】  電磁石装置１３が設けられた圧砕機１において、電磁石装置１３の吸着面３５の補修を容易に行うことができるものを提供する。  【解決手段】  本発明の圧砕機１の電磁石装置１３は、吸着部材３０、コイル部材３１及びケース部３２が設けられ、吸着部材３０は取り外しが可能となっている。また、コイル部材３１はケース部３２の空間４６に配置されている。そして、コイル部材３１のコイル４３によって磁気を発生させると、吸着部材３０の縁部４０と中央部４１が両極となり、磁性体を吸着面３５に吸着することができる。【選択図】  図３
2005152730.tif 000002
【特許請求の範囲】
【請求項１】
本体部と、前記本体部に対して開閉動作をするように取り付けられた可動部と、電磁石及び吸着部材を有する電磁石装置とが設けられ、前記吸着部材には電磁石の両磁極と前記両磁極の間の非磁性体とを有する面である吸着面が設けられ、前記吸着面は外部に露出するよう取り付けられて、電磁石により発生した磁気によって磁性体を前記吸着面に吸着させることができるものであり、さらに、前記吸着部材は本体部に着脱可能に取付けられていることを特徴とする電磁石付き圧砕機。
【請求項２】
前記電磁石装置には、通電可能なコイルと、前記コイルの軸に設けられる鉄心が設けられ、前記鉄心は分割可能であって、一方はコイルに固定されてコイル部材となり、他方は前記吸着部材に固定されていることを特徴とする請求項１に記載の圧砕機。
【請求項３】
本体部には空間を有するケース部が設けられ、吸着部材は前記ケース部に着脱可能に取り付けることができ、ケース部に吸着部材を取り付けることによってケース部の空間を閉じることができるものであり、コイルはケース部の空間に配置することができることを特徴とする請求項１又は２に記載の電磁石付き圧砕機。
【請求項４】
前記吸着部材の両磁極の間に設けられた非磁性体は環状であって、両磁極が前記環状の内側及び外側に設けられている請求項１〜３のいずれかに記載の電磁石付き圧砕機。
【請求項５】
吸着部材の縁は磁性体が用いられて吸着部材の鉄心とは非磁性体によって仕切られており、前記ケース部は磁性体が用いられて鉄心と接触しており、吸着部材をケース部材に取り付けると吸着部材の縁がケース部材の縁に接触して、鉄心の磁気を吸着部材の縁に誘導することが可能であることを特徴とする請求項４に記載の電磁石付き圧砕機。
【請求項６】
コイル部材が取り付けられるとケース部とコイル部材の鉄心とが接触した状態となり、吸着部材が取り付けられると吸着部材の鉄心とコイルの鉄心とが接触した状態となることを特徴とする請求項３〜５のいずれかに記載の電磁石付き圧砕機。
【請求項７】
コイル部材は、第１板状部と第２板状部とを有するものであり、前記第１板状部は非磁性体であって板状体であり、第２板状部は板状体であり、第１板状部及び第２板状部は鉄心の軸方向の両側に配置されて、第１板状部と第２板状部との間にコイルが配置されるものであり、さらに、第１板状部材が吸着部材側となるように、コイル部材を本体部材に取り付けるものであることを特徴とする請求項２〜６のいずれかに記載の電磁石付き圧砕機。
【請求項８】
移動操作が可能な取付部を有する建設機械の、取付部に取り付けられる建設機械用アタッチメントであって、電磁石装置を有し、前記電磁石装置には電磁石及び外部に露出した吸着面が設けられて、電磁石により発生した磁気によって磁性体を前記吸着面に吸着させることができるものであり、さらに、前記吸着面が設けられている部材は着脱可能に取付が可能であることを特徴とする建設機械用アタッチメント。
【発明の詳細な説明】
【技術分野】
【０００１】
本発明は電磁石付き圧砕機に関するものであり、さらに詳細には、電磁石装置の吸着面部を容易に取り外すことができ、吸着面の補修が容易である電磁石付の圧砕機に関するものである。また、ショベルやクレーンやホイ−ルローダなどの建設機械の先端などに設けられる取付部に取り付けられる建設機械用アタッチメントに関するものである。
【背景技術】
【０００２】
コンクリート構造物を破砕して取り壊すための装置として、圧砕機が従来より広く用いられている。そして、移動及び旋回可能な台車に設けられたアームの先端に圧砕機を設置し、圧砕機をコンクリート構造物の圧砕する場所に移動させて使用される。圧砕機は、本体部と可動部を有して、本体部の固定爪と可動部の可動爪を噛み合わせて対象物を破砕することができる。
【０００３】
そして、圧砕機によって鉄筋コンクリート構造物を破砕していくと、その破砕物はコンクリート部分と鉄筋部分が混在したものとなる。近年資源の再利用や環境保護の観点から、コンクリート破砕部分と鉄筋部分とを分別・回収して、再利用が行われている。
【０００４】
鉄筋コンクリート破砕物から鉄筋部分を分別・回収する方法としては、例えば、圧砕機自身に磁石を取り付けることによって鉄筋部分を吸着する方法が知られている。例えば下記の特許文献１には、電磁石を有し、吸着面部が外部に露出している電磁石装置が本体部に設けられている電磁石付き圧砕機が記載されている。
【０００５】
この圧砕機では、鉄筋コンクリート構造物を破砕した後に、電磁石のコイルに電流を流すなどして、鉄筋部分のみを磁力が作用する吸着面に吸着させて、破砕物から鉄筋部分を分別・回収することができる。この圧砕機によれば、鉄筋コンクリート構造物の破砕と鉄筋部分の回収を一台の圧砕機で行うことができ、さらに、これまで主に人手によって行っていた鉄筋部分の回収作業を機械で行うことができる。即ち、この圧砕機によれば作業効率の向上と作業員の安全性確保を両立することができる。
【特許文献１】特許第２５６３８５０号公報
【発明の開示】
【発明が解決しようとする課題】
【０００６】
従来の圧砕機に設けられている電磁石装置は、磁界を発生させるコイルと、コイルが入るケースと、コイルの軸に設けられる鉄心を有している。そして、コイルで生じた磁界はケース及び鉄心を伝達し、ケースの端部や鉄心の端部が磁極となって磁界を外部に作用させる。
【０００７】
また、磁極であるＮ極とＳ極との間には、磁界を外部に作用させるため隙間が設けられている。一方で、コイルは機械的に脆弱であるので、コイルが外部に露出する構造であると破損しやすい。そのため、この隙間に非磁性体である保護部材を磁極の間に設けて、コイルが露出しないようにしている。
【０００８】
コイルが設けられるコイル部材は、通常、柱状の鉄心の両側に板状の部材を設けてフランジ状とし、この間に銅線やアルミ線などを鉄心に巻いたコイル線が配置されている。そして、このコイル線は、使用の際の振動などによる摩擦などによって破損するおそれがあるため、この破損の防止のため、板状の部材により形成される空間をコイル線ごと接着剤などにより全体を固めて保護している。
【０００９】
磁極と保護部材とにより構成される面を吸着面と呼ばれる。この吸着面は、外部に露出しており、コイルによる磁気によって磁性体がぶつかり、また、圧砕機に電磁石装置を取り付けて使用する場合には、吸着面はコンクリートなどと恒常的に接触するので摩耗や損傷のおそれがある。そのため、上記の非磁性体である保護部材は、磁極と溶接などにより強固に固定されている。
【００１０】
一方で、上記した保護部材は、コイルに用いられる板状の部材の一方として用いているので保護部材とコイルとが接続している。コイルは鉄心に巻き付けるので、これらは一体であり、また、ケースと鉄心とは、磁界を伝達させるため、一体となっている。
したがって、電磁石装置のケース、鉄心、コイル、保護部材の全てが一体状となっており、また、内部にコイルが設けられた全体が一体型の密閉構造となっている。
【００１１】
吸着面は、上記したように、外部に露出しており摩耗や損傷のおそれがあるが、従来の電磁石装置では上記したように一体状であったので、吸着面のみを分割して交換することができなかった。
【００１２】
また、吸着面を補修する方法として、例えば溶接による肉盛が行われている。しかし、この溶接作業は熟練を要するものであり手間がかかっていた。またこの作業は長時間に及ぶものであり、近接するコイルが高熱を受けて破損する恐れがある。特に、保護部材はコイルと接着されているので、保護部材の補修の際、すぐにコイルが破損してしまう。
そして補修ができない場合には、コイル、鉄心、ケース状の部材及び吸着部材が一体となっている電磁石装置の全体を交換するしかなかった。
【００１３】
また、電磁石装置を取り付ける位置は圧砕機の露出した部分であるが、この部分は圧砕機を使用したときに力が加わる補強板である。そして、電磁石装置を取り付けるために、補強板に孔を設けるとかかる部分の強度が低下して、他の部分での補強が必要となり、重量が増加してしまう。
【００１４】
そこで、本発明の目的は、電磁石装置の吸着面を容易に補修することができる電磁石付き圧砕機を提供することである。
【課題を解決するための手段】
【００１５】
上記した課題を解決するための請求項１に記載の発明は、本体部と、前記本体部に対して開閉動作をするように取り付けられた可動部と、電磁石及び吸着部材を有する電磁石装置とが設けられ、前記吸着部材には電磁石の両磁極と前記両磁極の間の非磁性体とを有する面である吸着面が設けられ、前記吸着面は外部に露出するよう取り付けられて、電磁石により発生した磁気によって磁性体を前記吸着面に吸着させることができるものであり、さらに、前記吸着部材は本体部に着脱可能に取付けられていることを特徴とする電磁石付き圧砕機である。
【００１６】
請求項１に記載の発明によれば、電磁石により発生した磁気によって磁性体を前記吸着面に吸着させることができるので、コンクリート構造物の解体の際等に発生する鉄屑を吸着させてコンクリート屑などと分別することができる。また、前記吸着部材は本体部に着脱可能であるので、この部材を交換することにより補修を容易に行うことができる。
【００１７】
請求項２に記載の発明は、前記電磁石装置には、通電可能なコイルと、前記コイルの軸に設けられる鉄心が設けられ、前記鉄心は分割可能であって、一方はコイルに固定されてコイル部材となり、他方は前記吸着部材に固定されていることを特徴とする請求項１に記載の圧砕機である。
【００１８】
請求項２に記載の発明によれば、前記電磁石は通電可能なコイルであるので、通電の有無で磁性体の吸着と脱離を行うことができ、また、コイルの鉄心を分割してその一部を吸着面が設けられている部材に固定することによって、補修を容易にすることが可能となる。
【００１９】
請求項３に記載の発明は、本体部には空間を有するケース部が設けられ、吸着部材は前記ケース部に着脱可能に取り付けることができ、ケース部に吸着部材を取り付けることによってケース部の空間を閉じることができるものであり、コイルはケース部の空間に配置することができることを特徴とする請求項１又は２に記載の電磁石付き圧砕機である。
【００２０】
請求項３に記載の発明によれば、ケース部に着脱可能に取り付けることができる吸着部材を有し、前記コイルはこの空間に配置されるので、吸着面が損傷した場合などには吸着部材を交換することができ、また、コイルの腐食などを低減することができる。
【００２１】
前記吸着部材の両磁極の間に設けられる非磁性体を環状として、両磁極が前記環状の内側及び外側に設けることができる（請求項４）。
【００２２】
請求項５に記載の発明は、吸着部材の縁は磁性体が用いられて吸着部材の鉄心とは非磁性体によって仕切られており、前記ケース部は磁性体が用いられて鉄心と接触しており、吸着部材をケース部材に取り付けると吸着部材の縁がケース部材の縁に接触して、鉄心の磁気を吸着部材の縁に誘導することが可能であることを特徴とする請求項４に記載の電磁石付き圧砕機である。
【００２３】
請求項５に記載の発明によれば、磁性体の吸着部材の縁が前記鉄心と非磁性体によって仕切られており、磁性体のケース部材が鉄心と接触して鉄心の磁気を吸着部材の縁に誘導することができるので、吸着部材の縁部と鉄心が磁石の両極となって吸着面側に位置するので、吸着面付近の磁力が大きく、磁性体の吸着力を大きくすることができる。
【００２４】
請求項６に記載の発明は、コイル部材が取り付けられると、ケース部とコイル部材の鉄心とが接触した状態となり、吸着部材が取り付けられると、吸着部材の鉄心とコイルの鉄心とが接触した状態となることを特徴とする請求項３〜５のいずれかに記載の電磁石付き圧砕機である。
【００２５】
請求項６に記載の発明によれば、ケース部と、コイル及び吸着部材によって形成される鉄心との接触を確実にし、吸着面への吸着を安定させることができる。
【００２６】
請求項７に記載の発明は、コイル部材は、第１板状部と第２板状部とを有するものであり、前記第１板状部は非磁性体であって板状体であり、第２板状部は板状体であり、第１板状部及び第２板状部は鉄心の軸方向の両側に配置されて、第１板状部と第２板状部との間にコイルが配置されるものであり、さらに、第１板状部材が吸着部材側となるように、コイル部材を本体部材に取り付けるものであることを特徴とする請求項２〜６のいずれかに記載の電磁石付き圧砕機である。
【００２７】
請求項７に記載の発明によれば、コイル部材のコイルは、非磁性体である第１板状部と、第２板状部との間に配置されているので、コイルの形成が容易である。また、第１板状部が吸着部材側となるようにコイル部材を本体部材に取り付けるものであるので、使用時に、第１板状部によって吸着面の両磁極をつなぐように磁界を誘導して、吸着力を弱めるおそれがない。
【００２８】
さらに、移動操作が可能な取付部を有する建設機械の、取付部に取り付けられる建設機械用アタッチメントに適用することができる（請求項８）。
【発明の効果】
【００２９】
本発明によれば、圧砕機に設けられる電磁石装置の吸着面を容易に補修することができる。
【発明を実施するための最良の形態】
【００３０】
以下に、本発明を実施するための最良の形態について、図面を参照しながら説明する。図１は、本発明の第１の実施形態の圧砕機の一部を切り欠いた正面図である。図２は、本発明の第１の実施形態の圧砕機の電磁石装置を示した斜視図である。図３は、本発明の電磁石装置を示した分解斜視図である。図４は、本発明の電磁石装置を示した断面図である。
【００３１】
本発明の第１の実施形態における圧砕機１は、図１に示されるように、本体部１０と、本体部１０に対して開閉動作をするように取り付けられた可動部１２とを有している。
そして、圧砕機１は、図示しない建設機械のアームの先端の取付部に取り付けられて固定されて用いられるものである。具体的には、本体部１０の接続用孔１５、１５に前記アームに設けられている図示しない２本の軸を挿入して、それぞれの接続用孔１５、１５と回転可能に連結されている。なお、建設機械のアームは移動操作することができるものであり、圧砕機１を所定の位置に操作することができる。
【００３２】
可動部１２は本体部１０と軸部２０を回転軸として回転可能に接続されている。そして、シリンダ１８を作動させることにより、可動部１２を本体部１０に対して開閉動作を行うことができる。具体的な開閉動作を説明すると、シリンダ１８は本体部１０と可動部１２に設けられた軸部２１とをつなぐように設置されており、シリンダ１８を伸縮させることにより、可動部１２は本体部１０に対して開閉動作を行う。そして、可動部１２が閉まると、本体部１０側に設けられた固定爪１１と可動部１２側に設けられた可動爪１６がかみ合い、コンクリートなどを破砕する。
【００３３】
また、図３に示されるように、本体部１０にはケース部３２が設けられている。ケース部３２は容器状であり、底面部５４と側壁部５５を有している。そして、底面部５４と側壁部５５とよって囲まれた空間４６と、側壁部５５の縁によって形成された開口部４７とを有している。開口部４７は外側に向いて開口している。
そして、ケース部３２の空間４６は、高さがコイル部材３１の厚みとほぼ等しく、長さ及び幅が吸着部材３０の大きさにほぼ等しい。そして、後述するように、ケース部３２の開口部４７に吸着部材３０を取り付けることにより空間４６が密閉状態となる。
【００３４】
ケース部３２の位置は本体部１０の外側であり、本体部１０の両側の側面２５をつなぐ、補強板２６に設けられている。また、ケース部３２は、固定爪１１を基準として可動爪１６とは反対側に位置している。なお、ケース部３２の底面部５４は補強板２６としての機能も有している。したがって、従来では、コイル部材３１の保護のための部材と、圧砕機１の補強のための部材とを別々の部材で行っていたものを同じ部材で行うことができるので、軽量化を図ることができる。
【００３５】
さらに、図２、図３に示されるように、圧砕機１には、吸着部材３０、コイル部材３１が設けられており、吸着部材３０、コイル部材３１及び本体部１０のケース部３２により電磁石装置１３を形成する。
【００３６】
吸着部材３０は、長方形の板状であり、ケース部３２の開口４７とほぼ同じ大きさである。そして、表側の面である吸着面３５側には縁部４０、中央部４１及び環状部４２が設けられている。縁部４０は吸着部材３０の４辺の縁をつなぐように設けられている。また、中央部４１は楕円形又は小判形状であり、吸着部材３０の中央付近に設けられている。環状部４２は、中央部４１の外側であって縁部４０の内側の間に位置し、中央部４１と縁部４０とを環状に仕切っている。縁部４０と中央部４１は環状部４２よりも突出して、環状部４２は、縁部４０や中央部４１よりも凹んでいる。
【００３７】
そして、吸着部材３０が取り付けられると、図２に示されるように吸着面３５が外部に露出し、ケース部３２の空間を密閉する。吸着部材３０の縁部４０と中央部４１は、磁気を誘導する磁性体が用いられ、具体的には鉄系材料が使用されている。また、環状部４２は磁気を誘導しない材料が用いられ、具体的にはステンレスが使用されている。
【００３８】
そして、電磁石装置１３が使用されると、吸着部材３０の縁部４０と中央部４１とは両磁極となり、磁性体を吸着することができる。
【００３９】
コイル部材３１は、図３に示されるように、楕円形又は小判形状をしており、コイル４３と芯部４５を有している。コイル４３は、芯部４５の外側に電線を巻き付けたものであって磁気発生部となるものであり、外部から供給される電気により磁気を発生する電磁石である。芯部４５はコイル４３の内側に設けられており、磁気を誘導する磁性体が用いられている。
コイル４３と芯部４５は固定されて一体となっている。
【００４０】
また、コイル部材３１には、板状体である第１板状部６０及び第２板状部６１が設けられている。第１板状部６０は非磁性体であり、第２板状部６１は磁性体が用いられている。第１板状部６０及び第２板状部６１は芯部４５の軸方向の両側に配置されており、第１板状部６０と第２板状部６１との間にコイル４３が配置されている。コイル部材３１を取り付ける際には、第１板状部材６０が吸着部材３０側となるようする。
【００４１】
第１板状部材６０は吸着部材３０側に配置されるが、第１板状部材６０は非磁性体であるので、吸着部材３０の縁部４０と中央部４１との間で磁界を誘導することがなく、吸着力を低下させることがない。
【００４２】
また、コイル４３は芯部４５に巻き付けて製造される。具体的には、第１板状部６０を芯部４５に取り付けた後、コイル線を巻き付けてコイル４３とし、さらに、第２板状部６１を取り付ける。そして、コイル４３は第１板状部６０と第２板状部６１との間の空間に配置されている。コイル４３を巻き付けた後には、前記空間に接着剤を充填して全体を接着しているので、使用時に振動などにより、コイル４３の損傷を防ぐことができる。
【００４３】
吸着部材３０及びコイル部材３１は、ケース部３２に対して、それぞれを互いに着脱可能に取り付けることができる。この着脱は、以下のようにして行われる。
【００４４】
吸着部材３０の縁部４０には貫通孔４０ａが設けられ、中央部４１には貫通孔４１ａが設けられている。ケース部３２には、ねじ穴３２ａ及び貫通孔３２ｂが設けられている。コイル部材３１の芯部４５には、吸着部材３０側には貫通孔４１ａに対応するねじ穴４５ａが設けられ、ケース部３２の底面部５４側には貫通孔３２ｂに対応するねじ穴４５ｂが設けられている。なお、ねじ穴４５ａとねじ穴４５ｂとは連通している。
【００４５】
そして、ケース部３２にコイル部材３１を取り付けるには、コイル部材３１をケース部３２の空間４６に配置し、ケース部３２の裏側から図示しないボルトをケース部３２の貫通孔３２ｂに挿入してコイル部材３１のねじ穴４５ｂに締結して行う。また、吸着部材３０を取り付けるには、吸着部材３０を取り付けて表側から、図２に示すように、ボルト５０及びボルト５１を用いて行う。ボルト５０は、吸着部材３０の貫通孔４０ａに挿入して、ねじ穴３２ａで締結される。ボルト５１は、吸着部材３０の貫通孔４１ａに挿入して、コイル部材３１のねじ穴４５ａで締結される。
【００４６】
上記したように、吸着部材３０、コイル部材３１及びケース部３２が取り付けられると、図４に示すような状態となる。そして、吸着部材３０の中央部４１は裏面でコイル部材３１の芯部４５と接触し、吸着部材３０の縁部４０はケース部３２の側壁部５５と接触する。また、コイル部材３１は裏面でケース部３２の底面部５４と接触する。
【００４７】
そして、コイル４３に電流を通じると磁気が発生するが、このときのコイル４３の内側の芯部４５における磁力線の方向は、コイル４３の軸に平行な方向であり、吸着部材３０の表裏方向である。
また、芯部４５は、吸着部材３０の中央部４１に接触している。そして、芯部４５と中央部４１とが、コイル４３の鉄心５９として機能するものであり、言い換えると、コイル４３の鉄心５９は芯部４５と中央部４１とに分割可能なものである。
【００４８】
さらに、コイル部材３１の芯部４５はケース部３２にも接触しているので、図４の点線に示されるように上記した磁気は誘導され、一方は吸着部材３０の中央部４１に至り、他方はケース部３２の底面部５４から側壁部５５を介して吸着部材３０の縁部４０に至る。したがって、吸着部材３０の中央部４１と縁部４０とは、Ｓ極・Ｎ極が反対となる。なお、吸着部材３０の中央部４１と縁部４０との間は、磁性体でない環状部４２が設けられているので、磁気を誘導することはない。
【００４９】
鉄筋などの、磁力により吸引される材質である磁性体は、磁力によって吸引されるが、Ｓ極・Ｎ極の両極をつなぐように接触すると特に大きな力で吸引される。したがって、本実施形態の電磁石装置１３では、磁性体が吸着部材３０の中央部４１及び縁部４０の両側に接触するように吸引する力が働き、言い換えると吸着部材３０の吸着面３５側に磁性体を吸引する力が働く。
【００５０】
次に、本実施形態における圧砕機１の使用方法について、鉄筋コンクリート構造物を破砕する場合を例にして説明する。
まず、圧砕機１は、図示しない建設機械のアームの先端に取り付けられて固定されており、鉄筋コンクリート構造物が固定爪１１と可動爪１６との間となるように圧砕機１を移動する。そして、上記したようにシリンダ１８により開閉動作して鉄筋コンクリート構造物を圧砕する。
【００５１】
鉄筋コンクリート構造物を圧砕すると、コンクリート屑や鉄屑が発生する。この中から、鉄屑だけを分別する。具体的には、所定の操作により、磁気発生部であるコイル４３に電流を流す。そうすると、吸着部材３０の吸着面３５側の縁部４０及び中央部４１に磁性体を引きつける力が作用して磁性体である鉄屑が引きつけられ、この状態でアームを操作して鉄屑とコンクリート屑を分別する。
【００５２】
また、本実施形態の圧砕機１では、吸着部材３０の吸着面３５が摩耗や破損した場合にも交換が容易である。すなわち、吸着部材３０はボルト５０、５１などにより締結されているだけであるので容易に取り外すことができ、新たな吸着部材３０と交換するだけで補修ができる。
【００５３】
さらに、コイル部材３１の交換をすることができる。すなわち、コイル部材３１も図示しないボルトにより固定されているだけであるので、交換することができる。したがって、コイル部材３１のコイル４３の巻数の変更したものなどに交換して吸引力の変更などを簡単に行うことができる。
【００５４】
上記実施形態では、圧砕機１に用いたものであるが、ショベルやクレーンやホイ−ルローダなどの建設機械のアタッチメントとして用いることができる。
【図面の簡単な説明】
【００５５】
【図１】本発明の第１の実施形態の圧砕機の一部を切り欠いた正面図である。
【図２】本発明の第１の実施形態の圧砕機の電磁石装置を示した斜視図である。
【図３】本発明の電磁石装置を示した分解斜視図である。
【図４】本発明の電磁石装置を示した断面図である。
【符号の説明】
【００５６】
１  圧砕機
１０  本体部
１２  可動部
１３  電磁石装置
３０  吸着部材
３１  コイル部材
３２  ケース部
３５  吸着面
４０  縁部
４３  コイル
４６  空間
５９  鉄心
【図１】
2005152730.tif 000003
【図２】
2005152730.tif 000004
【図３】
2005152730.tif 000005
【図４】
2005152730.tif 000006